(57)【要約】【課題】支持軸の耐久性が低下するのを抑制することが可能な表示画面支持機構を提供する。【解決手段】この表示画面支持機構１００は、板状に形成された支持軸２５と、表示画面部３を支持するとともに、支持軸２５の板状に延びる上面２５ａおよび下面２５ｂが略水平に挿入される穴部１２ｂを有する表示画面側支持部材１０と、台座１側に設けられ、支持軸２５の板状に延びる上面２５ａおよび下面２５ｂが略水平に挿入される穴部２１ａを有する垂直支持部材２１とを備え、支持軸２５が挿入される穴部１２ｂは、対称扇形状に形成されているとともに、表示画面側支持部材１０は、支持軸２５の板状に延びる上面２５ａに表示画面側支持部材１０および表示画面部３の荷重が加えられる状態で、支持軸２５を回動軸として対称扇形状の角度範囲内で表示画面部３の前後方向に回動可能であるように構成されている。【選択図】図２
2010091890.tif 000002
【特許請求の範囲】
【請求項１】
板状に形成された支持軸と、
表示画面部を支持するとともに、前記板状の支持軸の板状に延びる表面が略水平に挿入される第１穴部を有する表示画面側支持部材と、
台座側に設けられ、前記板状の支持軸の板状に延びる表面が略水平に挿入される第２穴部を有する台座側支持部材とを備え、
前記板状の支持軸が挿入される前記第１穴部および前記第２穴部のうち少なくともいずれか一方は、穴中心に対して対称に２つの扇形状の先端部同士を接続した対称扇形状に形成されているとともに、前記表示画面側支持部材は、前記板状の支持軸の板状に延びる表面に前記表示画面側支持部材および前記表示画面部の荷重が加えられる状態で、前記板状の支持軸を回動軸として前記対称扇形状の角度範囲内で前記表示画面部の前後方向に回動可能であるように構成されている、表示画面支持機構。
【請求項２】
前記表示画面側支持部材の第１穴部は、前記対称扇形状に形成されており、
前記台座側支持部材の第２穴部の下面は、略平坦面状に形成されており、
前記表示画面側支持部材の対称扇形状の第１穴部の上部の略中央部から前記板状の支持軸の板状に延びる表面に前記荷重が加えられるとともに、前記台座側支持部材の第２穴部の下面の略全面において前記板状の支持軸を支持するように構成されている、請求項１に記載の表示画面支持機構。
【請求項３】
前記板状の支持軸の厚みと、前記対称扇形状の穴部の略中央部における前記支持軸の厚み方向の長さとは略同じである、請求項１または２に記載の表示画面支持機構。
【請求項４】
前記板状の支持軸の断面の長手方向の両端面は、それぞれ、前記対称扇形状の穴部の両側面とは接しないように構成されている、請求項１〜３のいずれか１項に記載の表示画面支持機構。
【請求項５】
前記対称扇形状の穴部の穴中心に対応する前記板状の支持軸の中央部近傍は、前記表示画面側支持部材の回動中心である、請求項１〜４のいずれか１項に記載の表示画面支持機構。
【請求項６】
前記板状の支持軸が挿入される前記第１穴部および前記第２穴部のうちいずれか一方は前記対称扇形状に形成されているとともに、他方の穴部は長方形形状に形成されており、
前記板状の支持軸の厚みと、前記長方形形状の穴部における前記支持軸の厚み方向の長さとは略同じである、請求項１〜５のいずれか１項に記載の表示画面支持機構。
【請求項７】
前記対称扇形状の穴部の角度範囲よりも小さい角度において前記表示画面側支持部材の回動を規制する規制部をさらに備える、請求項１〜６のいずれか１項に記載の表示画面支持機構。
【発明の詳細な説明】
【技術分野】
【０００１】
この発明は、表示画面支持機構に関し、特に、表示画面側支持部材が前後方向に回動可能な表示画面支持機構に関する。
【背景技術】
【０００２】
従来、表示画面側支持部材が前後方向に回動可能な表示画面支持機構が知られている（たとえば、特許文献１および２参照）。
【０００３】
上記特許文献１には、板状に形成された板金製の支持軸と、支持軸が挿入される扇形状の穴部を含み、液晶表示部を支持する液晶表示部支持部材（表示画面側支持部材）と、垂直方向に延びるように形成された長方形形状を有する穴部を含み、液晶表示部支持部材を回動可能に支持する台座側支持部材とを備える表示画面支持機構が開示されている。この液晶表示部支持部材の扇形状の穴部は、上面において板状の支持軸の厚みと略同一の間隔を有するとともに、下面方向側に広がる扇形状を有している。したがって、板状の支持軸の断面の長手方向の上端面は、扇形状の穴部の上面において液晶表示部支持部材を支持するとともに、板状の支持軸の断面の長手方向の下端面は、長方形形状を有する穴部の下面において台座側支持部材によって支持されるように構成されている。すなわち、特許文献１では、支持軸の断面の長手方向が上下方向（垂直方向）になるように、支持軸が扇形状の穴部に配置されている。また、液晶表示部支持部材は、板状の支持軸を回動軸として扇形状の角度範囲内で回動可能であるように構成されている。
【０００４】
上記特許文献２には、板状に形成された板金製の支持軸と、支持軸が挿入される扇形状の第１穴部を含み、表示画面部を支持する表示画面支持部材と、支持軸が挿入される扇形状を有する第２穴部を含み、表示画面支持部材を回動可能に支持する台座側支持部材とを備える表示画面支持装置（表示画面支持機構）が開示されている。この表示画面支持部材の第１穴部は、上面において板状の支持軸の厚みと略同一の間隔を有するとともに、下面方向側に広がる扇形状を有している。また、台座側支持部材の第２穴部は、下面において板状の支持軸の厚みと略同一の間隔を有するとともに、上面方向側に広がる扇形状を有している。したがって、板状の支持軸の断面の長手方向の上端面は、扇形状の第１穴部の上面において表示画面支持部材を支持するとともに、板状の支持軸の断面の長手方向の下端面は、扇形状の第２穴部の下面において台座側支持部材によって支持されるように構成されている。すなわち、特許文献２では、支持軸の断面の長手方向が上下方向（垂直方向）になるように、支持軸が扇形状の第１穴部および第２穴部に配置されている。また、表示画面支持部材は、板状の支持軸を回動軸として両扇形状の角度範囲内で回動可能であるように構成されている。
【０００５】
【特許文献１】特開２００７−１９３２４５号公報
【特許文献２】特開２００８−９８７９９号公報
【発明の開示】
【発明が解決しようとする課題】
【０００６】
しかしながら、上記特許文献１および２に記載の表示画面支持機構および表示画面支持装置では、板状の支持軸は、板状の支持軸の断面の長手方向の上端面において液晶表示部および表示画面部を支持するとともに、板状の支持軸の断面の長手方向の下端面において台座側支持部材によって支持されている。このため、液晶表示部および表示画面部と、液晶表示部支持部材および表示画面支持部材との荷重が、面積の小さい板状の支持軸の断面の長手方向の両端面に加えられるため、面積の大きい支持軸の板状に延びる表面に荷重が加えられる場合と比べて、単位面積あたりの荷重が大きくなる。この結果、板状の支持軸の断面の長手方向の両端面に荷重が集中することによって、支持軸の耐久性が低下するという問題点がある。
【０００７】
この発明は、上記のような課題を解決するためになされたものであり、この発明の１つの目的は、支持軸の耐久性が低下するのを抑制することが可能な表示画面支持機構を提供することである。
【課題を解決するための手段および発明の効果】
【０００８】
この発明の一の局面による表示画面支持機構は、板状に形成された支持軸と、表示画面部を支持するとともに、板状の支持軸の板状に延びる表面が略水平に挿入される第１穴部を有する表示画面側支持部材と、台座側に設けられ、板状の支持軸の板状に延びる表面が略水平に挿入される第２穴部を有する台座側支持部材とを備え、板状の支持軸が挿入される第１穴部および第２穴部のうち少なくともいずれか一方は、穴中心に対して対称に２つの扇形状の先端部同士を接続した対称扇形状に形成されているとともに、表示画面側支持部材は、板状の支持軸の板状に延びる表面に表示画面側支持部材および表示画面部の荷重が加えられる状態で、板状の支持軸を回動軸として対称扇形状の角度範囲内で表示画面部の前後方向に回動可能であるように構成されている。
【０００９】
この一の局面による表示画面支持機構では、上記のように、板状の支持軸の板状に延びる表面に表示画面側支持部材および表示画面部の荷重が加えられるように構成することによって、表示画面側支持部材および表示画面部の荷重が、板状の支持軸の断面の長手方向の両端面ではなく、面積の大きい支持軸の板状に延びる表面に加えられるので、支持軸の耐久性が低下するのを抑制することができる。
【００１０】
上記一の局面による表示画面支持機構において、好ましくは、表示画面側支持部材の第１穴部は、対称扇形状に形成されており、台座側支持部材の第２穴部の下面は、略平坦面状に形成されており、表示画面側支持部材の対称扇形状の第１穴部の上部の略中央部から板状の支持軸の板状に延びる表面に荷重が加えられるとともに、台座側支持部材の第２穴部の下面の略全面において板状の支持軸を支持するように構成されている。このように構成すれば、表示画面側支持部材および表示画面部の荷重が、表示画面側支持部材の対称扇形状の第１穴部の上部の略中央部から面積の大きい支持軸の板状に延びる表面に加えられるので、支持軸の耐久性が低下するのを抑制することができる。さらに、台座側支持部材の第２穴部の下面の略全面において板状の支持軸を支持することによって、板状の支持軸を支持する面（第２穴部の下面）の面積を大きくすることができるので、板状の支持軸からの荷重を第２穴部の下面において分散させることができる。これらにより、支持軸の耐久性が低下するのをより抑制することができる。
【００１１】
上記一の局面による表示画面支持機構において、好ましくは、板状の支持軸の厚みと、対称扇形状の穴部の略中央部における支持軸の厚み方向の長さとは略同じである。このように構成すれば、対称扇形状の穴部の略中央部において、対称扇形状の穴部の略中央部における支持軸の厚み方向の両端部により板状の支持軸を挟み込むようにすることができるので、表示画面側支持部材の回動角度に関わらず、支持軸を対称扇形状の穴部の略中央部に実質的に保持させることができる。これにより、表示画面側支持部材を回動させた後においても回動中心を対称扇形状の穴部の穴中心に配置することができるので、回動によって表示画面側支持部材と台座側支持部材とがずれるのを抑制することができる。
【００１２】
上記一の局面による表示画面支持機構において、好ましくは、板状の支持軸の断面の長手方向の両端面は、それぞれ、対称扇形状の穴部の両側面とは接しないように構成されている。このように構成すれば、支持軸の両端面と穴部の両側面とにおいて、回動による摩擦が発生するのを防止することができる。これにより、板状の支持軸の断面の長手方向の両端面から支持軸が破断するのを防止することができる。
【００１３】
上記一の局面による表示画面支持機構において、好ましくは、対称扇形状の穴部の穴中心に対応する板状の支持軸の中央部近傍は、表示画面側支持部材の回動中心である。このように構成すれば、表示画面側支持部材の穴部の穴中心と回動中心とを略一致させることができるので、回動によって表示画面側支持部材と台座側支持部材とがずれるのを抑制することができる。また、表示画面側支持部材の回動中心が板状の支持軸の中央部近傍に位置することによって、表示画面側支持部材の回動中心が板状の支持軸の端部近傍に位置する場合と比べて、表示画面側支持部材および表示画面部の荷重が、より確実に、面積の大きい支持軸の板状に延びる表面に加えられるので、支持軸の耐久性が低下するのをより抑制することができる。
【００１４】
上記一の局面による表示画面支持機構において、好ましくは、板状の支持軸が挿入される第１穴部および第２穴部のうちいずれか一方は対称扇形状に形成されているとともに、他方の穴部は長方形形状に形成されており、板状の支持軸の厚みと、長方形形状の穴部における支持軸の厚み方向の長さとは略同じである。このように構成すれば、支持軸が長方形形状の穴部内で回動するのを抑制するように構成することができるので、表示画面側支持部材の回動角度に関わらず、穴部の下面の略全面において、より支持軸を安定的に支持することができる。これにより、支持軸の耐久性が低下するのをより抑制することができる。
【００１５】
上記一の局面による表示画面支持機構において、好ましくは、対称扇形状の穴部の角度範囲よりも小さい角度において表示画面側支持部材の回動を規制する規制部をさらに備える。このように構成すれば、対称扇形状の穴部の内面に支持軸の上面および下面が接するのを抑制することができるので、支持軸によって対称扇形状の穴部の内面に回動による力が加えられるのを抑制することができる。これによっても、支持軸の耐久性が低下するのを抑制することができる。
【発明を実施するための最良の形態】
【００１６】
以下、本発明を具体化した実施形態を図面に基づいて説明する。
【００１７】
図１は、本発明の一実施形態による表示画面支持機構と台座と表示画面部との全体構成を示した斜視図である。図２は、図１に示した本発明の一実施形態による表示画面支持機構の全体構成を示した斜視図である。図３〜図１４は、図１に示した本発明の一実施形態による表示画面支持機構の構成を説明するための図である。まず、図１〜図１４を参照して、本発明の一実施形態による表示画面支持機構１００の構成について説明する。
【００１８】
本発明の一実施形態による表示画面支持機構１００は、図１に示すように、板金製の台座１の上面にネジ２によって固定された状態で、表示画面部３を支持している。また、表示画面部３の後部に形成された取付部３ａの内部に、一対のネジ４によって取り付けられている。また、表示画面支持機構１００は、表示画面部３を台座１に対して所定の角度前後方向（矢印Ａ方向およびＢ方向）に所定の角度傾斜させた状態で支持することが可能なように構成されている。
【００１９】
また、表示画面支持機構１００は、図１〜図６に示すように、表示画面部３（図１参照）を支持する板金製の表示画面支持部材１０と、表示画面支持部材１０の矢印Ｙ１方向および矢印Ｙ２方向にそれぞれ設けられ、表示画面支持部材１０によって支持されている表示画面部３を垂直面に対して前後方向（図１の矢印Ａ方向およびＢ方向）に所定の角度だけ旋回させるとともに、表示画面支持部材１０を支持する一対の回動支持部２０とから構成されている。
【００２０】
また、一対の回動支持部２０は、図４〜図６に示すように、それぞれ、板金製の垂直支持部材２１と、板金製の第１圧接板２２と、金属製の皿ばね２３と、板金製の第２圧接板２４とを含む。また、板金製の垂直支持部材２１と板金製の第１圧接板２２との間には、表示画面支持部材１０の後述する回動部１２の後述する円弧部１２ａが挟み込まれるように構成されている。また、一対の回動支持部２０は、それぞれ、垂直支持部材２１と、円弧部１２ａと、第１圧接板２２と、皿ばね２３と、第２圧接板２４とを貫通するように設けられている板金製の板状の支持軸２５と、板状の支持軸２５が抜けるのを防止するための板金製の抜止部材２６とをさらに含む。なお、垂直支持部材２１は、本発明の「台座側支持部材」の一例である。
【００２１】
また、表示画面支持部材１０は、図２および図４に示すように、上下方向（矢印Ｚ方向）に延びるように設けられた表示画面本体取付部１１と、表示画面支持部材１０の矢印Ｙ方向の両側端部にそれぞれ設けられた一対の回動部１２とからなる。また、図７に示すように、表示画面本体取付部１１の上部の矢印Ｙ１方向側および矢印Ｙ２方向側には、それぞれ、ネジ取付孔１３が形成されている。この一対のネジ取付孔１３は、図４に示すように、それぞれ、一対のネジ４によって、表示画面支持部材１０を表示画面部３（図１参照）の取付部３ａ（図１参照）の内部に固定するために設けられている。
【００２２】
また、図４に示すように、表示画面支持部材１０の一対の回動部１２は、表示画面本体取付部１１の両側端部から、それぞれ、表示画面本体取付部１１に対して垂直方向（矢印Ｘ１方向）に延びるように設けられている。また、一対の回動部１２の下部には、それぞれ、円弧状に形成された円弧部１２ａが形成されている。
【００２３】
また、図７に示すように、表示画面本体取付部１１の矢印Ｙ方向の両側端部と、一対の回動部１２の矢印Ｘ２方向側（図８参照）の側端部との境界の下部には、それぞれ、回動規制穴１４が形成されている。この回動規制穴１４は、それぞれ、表示画面本体取付部１１と一対の回動部１２との一部が切り取られることによって形成されている。また、図３に示すように、回動規制穴１４は、表示画面支持部材１０が規制角度（前方に約３度、後方に約１０度）まで回動した際に、垂直支持部材２１の後述する回動規制部２１ｆが回動規制穴１４の上面１４ａまたは下面１４ｂに当接することによって、表示画面支持部材１０の回動を規制するように構成されている。また、回動規制穴１４および回動規制部２１ｆによって、規制部が構成されている。
【００２４】
ここで、本実施形態では、図４に示すように、一対の回動部１２の円弧部１２ａの中心近傍には、それぞれ、対称扇形状の穴部１２ｂが形成されている。この穴部１２ｂは、板状の支持軸２５の上面２５ａおよび下面２５ｂが略水平になった状態で、板状の支持軸２５を略水平に挿入することが可能なように構成されている。なお、穴部１２ｂは、本発明の「第１穴部」の一例であり、上面２５ａは、本発明の「表面」の一例である。
【００２５】
また、本実施形態では、一対の回動部１２は、それぞれ、鏡像対称なように形成されている。したがって、表示画面本体取付部１１の矢印Ｙ１方向側に形成されている回動部１２について説明する。矢印Ｙ１方向側に形成されている回動部１２の対称扇形状の穴部１２ｂは、図８および図９に示すように、矢印Ｘ１方向側に形成された扇形状の第１穴部１２ｃと、矢印Ｘ２方向側に形成された扇形状の第２穴部１２ｄとからなる。また、図９に示すように、第１穴部１２ｃと第２穴部１２ｄとは、穴部１２ｂの穴中心Ｄ１に対して対称になるように形成されている。
【００２６】
また、対称扇形状の穴部１２ｂを構成する扇形状の第１穴部１２ｃは、下部中央部１１２ｃおよび上部中央部２１２ｃと、下部中央部１１２ｃから斜め下方向に直線的に延びる傾斜面３１２ｃと、傾斜面３１２ｃの矢印Ｘ１方向側の端部から上方向に円弧状に延びる円弧面４１２ｃと、円弧面４１２ｃの矢印Ｚ１方向側の端部から上部中央部２１２ｃに向かって斜め下方向に直線的に延びる傾斜面５１２ｃとから構成されている。また、対称扇形状の穴部１２ｂを構成する扇形状の第２穴部１２ｄは、下部中央部１１２ｄおよび上部中央部２１２ｄと、上部中央部２１２ｄから斜め上方向に直線的に延びる傾斜面３１２ｄと、傾斜面３１２ｄの矢印Ｘ２方向側の端部から下方向に円弧状に延びる円弧面４１２ｄと、円弧面４１２ｄの矢印Ｚ２方向側の端部から下部中央部１１２ｄに向かって斜め上方向に直線的に延びる傾斜面５１２ｄとから構成されている。また、対称扇形状の穴部１２ｂでは、扇形状の第１穴部１２ｃの下部中央部１１２ｃおよび上部中央部２１２ｃと、扇形状の第２穴部１２ｄの下部中央部１１２ｄおよび上部中央部２１２ｄとがそれぞれ接続されるように形成されている。
【００２７】
また、扇形状の第１穴部１２ｃの傾斜面３１２ｃは、水平線Ｃ１に対して矢印Ｚ２方向に角度α１（約５度）傾くように構成されているとともに、傾斜面５１２ｃは、水平線Ｃ２に対して矢印Ｚ１方向に角度α２（約１２度）傾くように構成されている。また、扇形状の第２穴部１２ｄの傾斜面３１２ｄは、水平線Ｃ２に対して矢印Ｚ１方向に角度α３（約５度）傾くように構成されているとともに、傾斜面５１２ｄは、水平線Ｃ１に対して矢印Ｚ２方向に角度α４（約１２度）傾くように構成されている。また、穴部１２ｂの下部中央部１１２ｃ（１１２ｄ）と上部中央部２１２ｃ（２１２ｄ）との間の長さ（間隔）Ｌ１は、板状の支持軸２５（図４参照）の厚みｔ１（図４参照）と略同じになるように構成されている。これにより、図４に示すように、規制部（回動規制穴１４および回動規制部２１ｆ）がない場合には、表示画面支持部材１０は、穴部１２ｂの穴中心Ｄ１（図９参照）を回動中心とするとともに、穴部１２ｂに挿入された板状の支持軸２５を回動軸として、前方（図１の矢印Ａ方向）に約５度、後方（図１の矢印Ｂ方向）に約１２度の傾きまで回動可能なように構成されている。
【００２８】
また、図９に示す表示画面支持部材１０（図４参照）の扇形状の穴部１２ｂの回動可能な角度（前方に約５度（角度α１およびα３）、後方に約１２度（角度α２およびα４））は、規制部（回動規制穴１４および回動規制部２１ｆ）による規制角度（前方に約３度、後方に約１０度）よりも大きい角度になるように構成されている。これにより、図９に示すように、表示画面支持部材１０が前方（図１の矢印Ａ方向）に約３度（規制角度）回動した状態において、板状の支持軸２５（図４参照）の上面２５ａ（図４参照）は、穴部１２ｂの傾斜面３１２ｄと当接しないとともに、板状の支持軸２５の下面２５ｂ（図４参照）は、穴部１２ｂの傾斜面３１２ｃと当接しないように構成されている。また、表示画面支持部材１０が後方（図１の矢印Ｂ方向）に約１０度（規制角度）回動した状態において、板状の支持軸２５の上面２５ａは、穴部１２ｂの傾斜面５１２ｃと当接しないとともに、板状の支持軸２５の下面２５ｂは、穴部１２ｂの傾斜面５１２ｄと当接しないように構成されている。
【００２９】
また、本実施形態では、図１０に示すように、板金製の垂直支持部材２１の略中央には、矢印Ｙ３方向側（図１１参照）から平面的に見て、水平方向（矢印Ｘ方向）に延びるように形成された長方形形状を有する穴部２１ａが設けられている。この長方形形状を有する穴部２１ａは、板状の支持軸２５（図４参照）の厚みｔ１（図４参照）と略同じ矢印Ｚ方向の長さＬ２を有する。これにより、図４に示すように、板状の支持軸２５の上面２５ａおよび下面２５ｂが略水平になった状態で、板状の支持軸２５を略水平に挿入することが可能なように構成されている。また、図１０に示すように、穴部２１ａの下面１２１ａは、平坦面状に形成されている。なお、穴部２１ａは、本発明の「第２穴部」の一例である。
【００３０】
また、垂直支持部材２１の穴部２１ａの上方（矢印Ｚ１方向側）および下方（矢印Ｚ２方向側）には、それぞれ、一対の突起部２１ｂが形成されている。一対の突起部２１ｂは、それぞれ、穴部２１ａの中心の矢印Ｘ３方向側および矢印Ｘ４方向側に形成されているとともに、矢印Ｙ３方向側（図１１参照）に突出するように形成されている。この突起部２１ｂは、穴部２１ａの上方および下方において、それぞれ、一対の突起部２１ｂの間に抜止部材２６（図４参照）をガイドするように設けられている。また、図１１に示すように、垂直支持部材２１の下端部には、垂直方向（矢印Ｙ３方向）に延びる台座取付部２１ｃが形成されている。また、図１０に示すように、垂直支持部材２１の台座取付部２１ｃには、一対のネジ取付孔２１ｄが形成されている。このネジ取付孔２１ｄは、図４に示すように、それぞれ、一対のネジ２によって、台座１（図１参照）の上面に固定するために設けられている。
【００３１】
また、図１０に示すように、垂直支持部材２１の矢印Ｙ４方向側（図１１参照）の面には、穴部２１ａの穴中心と略同一の穴中心を有するリング状の突出部２１ｅが形成されている。この突出部２１ｅは、矢印Ｙ３方向側（図１１参照）からプレス加工することにより形成されている。また、突出部２１ｅは、図４に示すように、回動支持部２０が表示画面支持部材１０の回動部１２の円弧部１２ａを挟みこんだ際に、円弧部１２ａの一方面１１２ａに接するように形成されている。また、突出部２１ｅおよびその付近には、突出部２１ｅと円弧部１２ａの一方面１１２ａとの摩擦トルクを弱めるための潤滑油（図示せず）が塗布されている。
【００３２】
また、図１０および図１１に示すように、垂直支持部材２１の矢印Ｘ３方向側（図１０参照）および矢印Ｘ４方向側（図１０参照）には、それぞれ、矢印Ｘ３方向および矢印Ｘ４方向に延びた後に矢印Ｙ４方向（図１１参照）に延びる回動規制部２１ｆが垂直支持部材２１に一体的に形成されている。この回動規制部２１ｆは、図３に示すように、表示画面支持部材１０が規制角度（前方に約３度、後方に約１０度）まで回動した際に、回動規制穴１４の上面１４ａまたは下面１４ｂにおいて当接するように構成されている。また、垂直支持部材２１の矢印Ｘ３方向側（図１０参照）および矢印Ｘ４方向側（図１０参照）にそれぞれ回動規制部２１ｆを設けることによって、表示画面支持部材１０の矢印Ｙ方向の両側端部にそれぞれ設けられた一対の回動支持部２０における垂直支持部材２１を共通化することが可能である。
【００３３】
また、図４に示すように、板金製の板状の支持軸２５は、矢印Ｙ方向に延びる挿入部２５ｃと、第２圧接板２４の一方面に当接する一対の当接部２５ｄと、矢印Ｚ方向から平面的に見て、支持軸２５の長手方向に延びる長方形状の穴部２５ｅとを含んでいる。また、支持軸２５の一対の当接部２５ｄは、支持軸２５の断面の長手方向の側面２５ｆおよび２５ｇの後端部に突出するように設けられている。すなわち、板状の支持軸２５は、Ｔ字形状を有している。また、支持軸２５の穴部２５ｅは、抜止部材２６を挿入するために設けられている。また、抜止部材２６は、支持軸２５の穴部２５ｅに下部側からＺ２方向に向かって挿入された場合に、途中で穴部２５ｅの内面に当接することによって、穴部２５ｅに係止されるように構成されている。また、板金製の板状の支持軸２５がプレス加工により形成されることによって、支持軸２５の断面の長手方向の側面２５ｆおよび２５ｇは、それぞれ、切断面になるように構成されている。
【００３４】
また、本実施形態では、図１２に示すように、表示画面支持部材１０が垂直（矢印Ｚ方向）な状態で、板状の支持軸２５の挿入部２５ｃは、回動部１２の穴部１２ｂと垂直支持部材２１の穴部２１ａとに略水平に挿入されている。この際、図１２〜図１４に示すように、板状の支持軸２５の上面２５ａの略中央部において、板状の支持軸２５は、穴部１２ｂの上部中央部２１２ｃ（２１２ｄ）と接するとともに、板状の支持軸２５の下面２５ｂにおいて、板状の支持軸２５は、穴部２１ａの平坦面状の下面１２１ａの略全面と接するように構成されている。これにより、図１４に示すように、板状の支持軸２５は、板状の支持軸２５の上面２５ａの略中央部において、上部中央部２１２ｃ（２１２ｄ）から表示画面部３および表示画面支持部材１０の荷重が加えられるとともに、板状の支持軸２５の下面２５ｂが、穴部２１ａの平坦面状の下面１２１ａの略全面により支持されるように構成されている。
【００３５】
また、板状の支持軸２５の挿入部２５ｃの矢印Ｘ３方向側の側面２５ｆおよび矢印Ｘ４方向側の側面２５ｇは、それぞれ、穴部１２ｂの円弧面４１２ｃおよび４１２ｄと接しないように構成されている。また、板状の支持軸２５の中央部Ｄ２は、対称扇形状の穴部１２ｂの穴中心Ｄ１と略一致するとともに、表示画面支持部材１０（図２参照）の回動中心になるように構成されている。なお、側面２５ｆおよび２５ｇは、それぞれ、本発明の「端面」の一例であり、円弧面４１２ｃおよび４１２ｄは、それぞれ、本発明の「側面」の一例である。
【００３６】
また、図４に示すように、第１圧接板２２および第２圧接板２４の略中央には、それぞれ、水平方向（矢印Ｘ方向）に延びるように、穴部２２ａおよび２４ａが形成されている。この穴部２２ａおよび２４ａは、穴部２１ａと略同一の長方形の形状を有する。また、皿ばね２３の略中央には、円形状を有する穴部２３ａが形成されている。また、穴部２２ａ、２３ａおよび２４ａは、それぞれ、板状の支持軸２５の上面２５ａおよび下面２５ｂが略水平になった状態で、板状の支持軸２５を略水平に挿入することが可能なように構成されている。
【００３７】
また、第１圧接板２２の穴部２２ａおよび第２圧接板２４の穴部２４ａの略中心の上方（矢印Ｚ１方向）および下方（矢印Ｚ２方向）には、それぞれ、突起部２２ｂおよび２４ｂが形成されている。この突起部２２ｂおよび２４ｂは、それぞれ、第１圧接板２２および第２圧接板２４の皿ばね２３が配置される側の面に形成されており、皿ばね２３の穴部２３ａ内に配置されることが可能なように構成されている。これにより、第１圧接板２２および第２圧接板２４と皿ばね２３とを容易に位置決めすることが可能である。
【００３８】
また、第１圧接板２２の円弧部１２ａ側の面には、穴部２２ａの穴中心と略同一の穴中心を有するリング状の突出部２２ｃが形成されている。また、突出部２２ｃは、回動支持部２０が表示画面支持部材１０の回動部１２の円弧部１２ａを挟みこんだ際に、円弧部１２ａの他方面２１２ａに接するように形成されている。また、突出部２２ｃおよびその付近には、突出部２２ｃと円弧部１２ａの他方面２１２ａとの摩擦トルクを弱めるための潤滑油（図示せず）が塗布されている。
【００３９】
また、図５および図６に示すように、板状の支持軸２５は、板状の支持軸２５の上面２５ａおよび下面２５ｂ（図５参照）が略水平になった状態で、垂直支持部材２１の穴部２１ａ（図４参照）と、円弧部１２ａの穴部１２ｂ（図４参照）と、第１圧接板２２の穴部２２ａ（図４参照）と、皿ばね２３の穴部２３ａ（図４参照）と、第２圧接板２４の穴部２４ａ（図４参照）とに挿入されるように構成されている。また、その状態で、抜止部材２６によって抜け止めされている。また、板状の支持軸２５が抜止部材２６によって抜け止めされている状態で、皿ばね２３は圧縮されるように構成されている。すなわち、皿ばね２３によって、円弧部１２ａの一方面１１２ａと垂直支持部材２１の突出部２１ｅ（図４参照）との間に摩擦トルクが発生するとともに、円弧部１２ａの他方面２１２ａと第１圧接板２２の突出部２２ｃ（図４参照）との間に摩擦トルクが発生するように構成されている。このように、皿ばね２３による圧縮力により垂直支持部材２１の突出部２１ｅおよび第１圧接板２２の２２ｂと回動部１２の円弧部１２ａとに摩擦トルクが発生することによって、表示画面支持部材１０を台座１（図１参照）に対して所定の角度前後方向（図１の矢印Ａ方向および矢印Ｂ方向）に所定の角度傾斜させた状態で保持することが可能なように構成されている。
【００４０】
図１５〜図１８は、それぞれ、図１に示した本発明の一実施形態による表示画面支持機構の回動動作を説明するための図である。図１、図４、図７および図１５〜図１８を参照して、本発明の一実施形態による表示画面支持機構１００の回動動作について説明する。
【００４１】
まず、図７に示した表示画面支持部材１０が垂直に支持されている状態から表示画面部３（図１参照）を前方である矢印Ａ方向（図１参照）に押圧する。これにより、図１５および図１６に示すように、表示画面支持部材１０（図１５参照）の対称扇形状の穴部１２ｂの上部中央部２１２ｃ（２１２ｄ）と板状の支持軸２５の上面２５ａの略中央部とが当接しながら、表示画面支持部材１０が対称扇形状の穴部１２ｂの穴中心Ｄ１（図１６参照）および板状の支持軸２５の中央部Ｄ２（図１６参照）を回動中心として、矢印Ａ方向に回動する。この際、板状の支持軸２５の下面２５ｂは、垂直支持部材２１の穴部２１ａの平坦面状の下面１２１ａの略全面において支持されている。また、表示画面支持部材１０を矢印Ａ方向に規制角度（約３度）内において傾斜させた後、押圧を解除すると、円弧部１２ａ（図１５参照）の一方面１１２ａ（図４参照）と垂直支持部材２１（図１５参照）の突出部２１ｅ（図４参照）との間の摩擦トルクと、円弧部１２ａの他方面２１２ａ（図４参照）と第１圧接板２２（図４参照）の突出部２２ｃ（図４参照）との間の摩擦トルクとによって、押圧解除時の表示画面支持部材１０の傾きが維持される。
【００４２】
そして、表示画面支持部材１０が矢印Ａ方向（図１参照）に、規制角度である約３度回動されると、図１５に示すように、垂直支持部材２１の回動規制部２１ｆが表示画面支持部材１０の回動規制穴１４の上面１４ａに当接する。これによって、表示画面支持部材１０の矢印Ａ方向への回動が止まる。この際、図１６に示すように、板状の支持軸２５の上面２５ａは、穴部１２ｂの傾斜面３１２ｄと当接していないとともに、板状の支持軸２５の下面２５ｂは、穴部１２ｂの傾斜面３１２ｃと当接していない。
【００４３】
また、図７に示した表示画面支持部材１０が垂直に支持されている状態から表示画面部３（図１参照）を後方である矢印Ｂ方向（図１参照）に押圧する。これにより、図１７および図１８に示すように、表示画面支持部材１０（図１７参照）の対称扇形状の穴部１２ｂの上部中央部２１２ｃ（２１２ｄ）と板状の支持軸２５の上面２５ａの略中央部とが当接しながら、表示画面支持部材１０が対称扇形状の穴部１２ｂの穴中心Ｄ１（図１８参照）および板状の支持軸２５の中央部Ｄ２（図１８参照）を回動中心として、矢印Ｂ方向に回動する。この際、板状の支持軸２５の下面２５ｂは、垂直支持部材２１の穴部２１ａの平坦面状の下面１２１ａの略全面において支持されている。また、表示画面支持部材１０を矢印Ｂ方向に規制角度（約１０度）内において傾斜させた後、押圧を解除すると、円弧部１２ａ（図１７参照）の一方面１１２ａ（図４参照）と垂直支持部材２１（図１７参照）の突出部２１ｅ（図４参照）との間の摩擦トルクと、円弧部１２ａの他方面２１２ａ（図４参照）と第１圧接板２２（図４参照）の突出部２２ｃ（図４参照）との間の摩擦トルクとによって、押圧解除時の表示画面支持部材１０の傾きが維持される。
【００４４】
そして、表示画面支持部材１０が矢印Ｂ方向（図１参照）に、規制角度である約１０度回動されると、図１７に示すように、垂直支持部材２１の回動規制部２１ｆが表示画面支持部材１０の回動規制穴１４の下面１４ｂに当接する。これによって、表示画面支持部材１０の矢印Ｂ方向への回動が止まる。この際、図１８に示すように、板状の支持軸２５の上面２５ａは、穴部１２ｂの傾斜面５１２ｃと当接していないとともに、板状の支持軸２５の下面２５ｂは、穴部１２ｂの傾斜面５１２ｄと当接していない。
【００４５】
本実施形態では、上記のように、板状の支持軸２５の上面２５ａに表示画面側支持部材１０および表示画面部３の荷重が加えられるように構成することによって、表示画面側支持部材１０および表示画面部３の荷重が、切断面である板状の支持軸２５の側面２５ｆおよび２５ｇではなく、面積が大きく切断面でない支持軸２５の板状に延びる上面２５ａに加えられるので、支持軸２５の耐久性が低下するのを抑制することができる。
【００４６】
また、本実施形態では、表示画面側支持部材１０の対称扇形状の穴部１２ｂの上部中央部２１２ｃ（２１２ｄ）から板状の支持軸２５の板状に延びる上面２５ａに荷重が加えられるとともに、垂直支持部材２１の穴部２１ａの下面１２１ａの略全面において板状の支持軸２５を支持するように構成することによって、表示画面側支持部材１０および表示画面部３の荷重が、表示画面側支持部材１０の対称扇形状の穴部１２ｂの上部中央部２１２ｃ（２１２ｄ）から面積が大きく切断面でない支持軸２５の板状に延びる上面２５ａに加えられるので、支持軸２５の耐久性が低下するのを抑制することができる。さらに、垂直支持部材２１の穴部２１ａの下面１２１ａの略全面において板状の支持軸２５を支持することによって、板状の支持軸２５を支持する穴部２１ａの下面１２１ａの面積を大きくすることができるので、板状の支持軸２５からの荷重を穴部２１ａの下面１２１ａにおいて分散させることができる。これらにより、支持軸２５の耐久性が低下するのをより抑制することができる。
【００４７】
また、本実施形態では、板状の支持軸２５の厚みｔ１と、穴部１２ｂの下部中央部１１２ｃ（１１２ｄ）と上部中央部２１２ｃ（２１２ｄ）との間の長さＬ１とを略同じにするように構成することによって、対称扇形状の穴部１２ｂの下部中央部１１２ｃ（１１２ｄ）と上部中央部２１２ｃ（２１２ｄ）とにより板状の支持軸２５を挟み込むようにすることができるので、表示画面側支持部材１０の回動角度に関わらず、支持軸２５を対称扇形状の穴部１２ｂの略中央部に実質的に保持させることができる。これにより、表示画面側支持部材１０を回動させた後においても回動中心を対称扇形状の穴部１２ｂの穴中心Ｄ１に配置することができるので、回動によって表示画面側支持部材１０と垂直支持部材２１とがずれるのを抑制することができる。この結果、垂直支持部材２１の突出部２１ｅおよびその付近と、第１圧接板２２の突出部２２ｃおよびその付近とに塗布されている潤滑油がずれることによって、表示画面支持機構１００において潤滑油切れが起こるのを抑制することができる。
【００４８】
また、本実施形態では、板状の支持軸２５の側面２５ｆおよび２５ｇを、それぞれ、対称扇形状の穴部１２ｂの円弧面４１２ｃおよび４１２ｄと接しないように構成することによって、切断面である支持軸２５の側面２５ｆおよび２５ｇと、穴部１２ｂの円弧面４１２ｃおよび４１２ｄとにおいて、回動による摩擦が発生するのを防止することができる。これにより、切断面である板状の支持軸２５の側面２５ｆおよび２５ｇから支持軸２５が破断するのを防止することができる。
【００４９】
また、本実施形態では、対称扇形状の穴部１２ｂの穴中心Ｄ１に対応する板状の支持軸２５の中央部Ｄ２近傍を、表示画面側支持部材１０の回動中心とすることによって、表示画面側支持部材１０の穴部１２ｂの穴中心Ｄ１と回動中心とを一致させることができるので、回動によって表示画面側支持部材１０と垂直支持部材２１および第１圧接板２２とがずれるのを抑制することができる。また、表示画面側支持部材１０の回動中心（穴中心Ｄ１）が板状の支持軸２５の中央部Ｄ２近傍に位置することによって、表示画面側支持部材１０の回動中心（穴中心Ｄ１）が板状の支持軸２５の側面２５ｆおよび２５ｇ近傍に位置する場合と比べて、表示画面側支持部材１０および表示画面部３の荷重が、より確実に、面積の大きい支持軸２５の板状に延びる上面２５ａに加えられるので、支持軸２５の耐久性が低下するのをより抑制することができる。
【００５０】
また、本実施形態では、板状の支持軸２５の厚みｔ１と、長方形形状の穴部２１ａにおける支持軸２５の厚み方向の長さＬ２とを略同じにするように構成することによって、支持軸２５が長方形形状の穴部２１ａ内で回動するのを抑制するように構成することができるので、表示画面側支持部材１０の回動角度に関わらず、穴部２１ａの下面１２１ａの略全面において、より支持軸２５を安定的に支持することができる。これにより、支持軸２５の耐久性が低下するのをより抑制することができる。また、長方形形状の穴部２１ａにより、支持軸２５は表示画面側支持部材１０の回動に伴って回動しないようにすることができるので、表示画面側支持部材１０を安定的に回動させることができる。
【００５１】
また、本実施形態では、対称扇形状の穴部１２ｂの回動可能な角度（前方に約５度（角度α１およびα３）、後方に約１２度（角度α２およびα４））よりも小さい角度において表示画面側支持部材１０の回動を規制する規制部（回動規制穴１４および回動規制部２１ｆ）を設けることによって、板状の支持軸２５の上面２５ａと穴部１２ｂの傾斜面３１２ｄおよび５１２ｃとが接するのを抑制することができるとともに、板状の支持軸２５の下面２５ｂと穴部１２ｂの傾斜面３１２ｃおよび５１２ｄとが接するのを抑制することができるので、支持軸２５によって対称扇形状の穴部１２ｂの傾斜面３１２ｃ、３１２ｄ、５１２ｃおよび５１２ｄに回動による力が加えられるのを抑制することができる。これによっても、支持軸２５の耐久性が低下するのを抑制することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００５３】
たとえば、上記実施形態では、本発明の一例として、表示画面支持部材の穴部を対称扇形状に形成するとともに、垂直支持部材の穴部を長方形状に形成する例を示したが、本発明はこれに限らず、表示画面支持部材の穴部を長方形状の穴部に形成するとともに、垂直支持部材の穴部を対称扇形状の穴部に形成してもよい。
【００５４】
また、上記実施形態では、規制部（回動規制穴および回動規制部）により表示画面支持部材の回動を規制する規制角度（前方に約３度、後方に約１０度）を設けた例を示したが、本発明はこれに限らず、規制部による規制角度は、さらに大きな角度でもよいし、小さい角度でもよい。ここで、規制部による規制角度を大きな角度にする場合には、表示画面支持部材の対称扇形状の穴部の回動可能な角度よりも小さい角度が好ましい。また、規制部は設けなくてもよい。
【００５５】
また、上記実施形態では、規制部を表示画面支持部材の回動規制穴および垂直支持部材の回動規制部からなる例を示したが、本発明はこれに限らず、規制部は、表示画面支持部材に回動規制部を設けるとともに、垂直支持部材に回動規制穴を設けることによって形成してもよい。また、規制部は、回動規制穴および回動規制部以外からなるように構成してもよい。
【００５６】
また、上記実施形態では、プレス加工により板状の支持軸を形成することによって、板状の支持軸の両側面を切断面とした例を示したが、本発明はこれに限らず、板状の支持軸の両側面を切断面としなくてもよい。
【図面の簡単な説明】
【００５７】
【図１】本発明の一実施形態による表示画面支持機構と台座と表示画面部との全体構成を示した斜視図である。
【図２】図１に示した本発明の一実施形態による表示画面支持機構の全体構成を矢印Ｘ１方向側から見た斜視図である。
【図３】図１に示した本発明の一実施形態による表示画面支持機構の全体構成を矢印Ｘ２方向側から見た斜視図である。
【図４】図１に示した本発明の一実施形態による表示画面支持機構の全体構成を示した分解斜視図である。
【図５】図１に示した本発明の一実施形態による表示画面支持機構の全体構成を示した正面図である。
【図６】図１に示した本発明の一実施形態による表示画面支持機構の全体構成を示した上面図である。
【図７】図１に示した本発明の一実施形態による表示画面支持部材を示した背面図である。
【図８】図１に示した本発明の一実施形態による表示画面支持部材を示した側面図である。
【図９】図１に示した本発明の一実施形態による円弧部の穴部を示した拡大側面図である。
【図１０】図１に示した本発明の一実施形態による垂直支持部材を示した正面図である。
【図１１】図１０の２００−２００線に沿った断面図である。
【図１２】図１に示した本発明の一実施形態による回動部、垂直支持部材および支持軸を示した拡大側面図である。
【図１３】図１に示した本発明の一実施形態による回動部、垂直支持部材および支持軸を示した斜視図である。
【図１４】図１に示した本発明の一実施形態による回動部の穴部、垂直支持部材の穴部および支持軸を示した拡大断面図である。
【図１５】図１に示した本発明の一実施形態による表示画面支持機構の回動動作を説明するための拡大側面図である。
【図１６】図１に示した本発明の一実施形態による表示画面支持機構の回動動作を説明するための拡大側面図である。
【図１７】図１に示した本発明の一実施形態による表示画面支持機構の回動動作を説明するための拡大側面図である。
【図１８】図１に示した本発明の一実施形態による表示画面支持機構の回動動作を説明するための拡大側面図である。
【符号の説明】
【００５８】
１  台座
３  表示画面部
１０  表示画面側支持部材
１２ｂ  穴部（第１穴部）
１４  回動規制穴（規制部）
２１  垂直支持部材（台座側支持部材）
２１ａ  穴部（第２穴部）
２１ｆ  回動規制部（規制部）
２５  支持軸
２５ａ  上面（表面）
２５ｆ、２５ｇ  側面（端面）
１００  表示画面支持機構
１２１ａ  下面
４１２ｃ、４１２ｄ  円弧面（側面）
Ｄ１  穴中心
Ｄ２  中央部
Ｌ１、Ｌ２  長さ
ｔ１  厚み
【図１】
2010091890.tif 000003
【図２】
2010091890.tif 000004
【図３】
2010091890.tif 000005
【図４】
2010091890.tif 000006
【図５】
2010091890.tif 000007
【図６】
2010091890.tif 000008
【図７】
2010091890.tif 000009
【図８】
2010091890.tif 000010
【図９】
2010091890.tif 000011
【図１０】
2010091890.tif 000012
【図１１】
2010091890.tif 000013
【図１２】
2010091890.tif 000014
【図１３】
2010091890.tif 000015
【図１４】
2010091890.tif 000016
【図１５】
2010091890.tif 000017
【図１６】
2010091890.tif 000018
【図１７】
2010091890.tif 000019
【図１８】
2010091890.tif 000020